(57)【特許請求の範囲】
【請求項１】
嵌合用開口が形成された機器のケースと、
一の接続端子を備え前記ケース内において前記嵌合用開口に臨んで配置される機器側コネクタと、
前記一の接続端子と接続される他の接続端子を備えワイヤハーネスの端末に接続されたハーネス側コネクタと、が設けられ、
前記ハーネス側コネクタが前記ケースの前記嵌合用開口を通して前記機器側コネクタと嵌合され、かつ同ハーネス側コネクタに設けられた取付部が前記ケースに固定されるようになっているとともに、
前記両コネクタの間には当該両コネクタの嵌合状態を検知する嵌合検知機構が備えられたコネクタ装置において、
前記嵌合検知機構は、前記機器側コネクタに嵌合検知用の一対の雄端子が設けられる一方、
前記ハーネス側コネクタには、一対のピンの基端同士を連結部で連結したショートピンと、当該ショートピンの前記ピンと前記雄端子とがそれぞれ接続される接続部を長さ方向の両端部に間隔を開けて形成してなる一対の中継端子とが設けられることによって形成されていることを特徴とするコネクタ装置。
【請求項２】
前記ハーネス側コネクタの嵌合端面には、前面に開口した装着孔が形成され、この装着孔の奥面には、前記ショートピンの前記連結部が圧入される圧入溝が形成されているとともに、
前記一対の中継端子を後方から個別に挿入可能な収容室を備え、かつ両収容室の前面に嵌合検知用の前記雄端子が挿入される端子挿入口が開口されたカバーが前記装着孔内に前方から挿入可能に設けられ、
前記カバーと前記装着孔との間に前記カバーを抜け止めする抜け止め部が設けられていることを特徴とする請求項１記載のコネクタ装置。
【請求項３】
前記機器側コネクタの嵌合端面には、前記一対の雄端子が回りを壁部で囲まれた形態で突設されている一方、前記ハーネス側コネクタの前記装着孔には、前記カバーが同装着孔の内面との間に前記壁部が挿入可能なクリアランスを持って装着されるようになっており、かつ前記カバーにおける奥端側の外面には、同カバーの径方向の位置ずれを規制するリブが形成されていることを特徴とする請求項２記載のコネクタ装置。
【請求項４】
前記機器側コネクタには動力用の電気回路が構成されており、前記一対の嵌合検知用の雄端子同士が接続状態である場合に前記電気回路が導通される一方、前記雄端子同士が非接続状態である場合に前記電気回路が遮断されるようになっていることを特徴とする請求項１ないし請求項３のいずれか一項に記載のコネクタ装置。
【請求項５】
前記機器のケースが金属製である一方、前記ハーネス側コネクタには前記他の接続端子の回りを覆うようにしてシールドシェルが装着され、このシールドシェルから張り出し形成された取付板が、前記ケースの外面に締結金具により固定されていることを特徴とする請求項１ないし請求項４のいずれか一項に記載のコネクタ装置。
【発明の詳細な説明】
【技術分野】
【０００１】
本発明は、嵌合検知機構を備えたコネクタ装置に関する。
【背景技術】
【０００２】
例えば電気自動車において、車載機器類に電力を供給するためのコネクタ装置として、以下のようなものが知られている。このものは、互いに嵌合される機器側コネクタとハーネス側コネクタとを備え、機器側コネクタは、ジャンクションボックス（Ｊ／Ｂ）の外面に雄ハウジングとなる嵌合凹部が一体的に形成され、この嵌合凹部の奥面からバスバーからなる雄端子が突設された構造であり、このＪ／Ｂが金属製のケース内に収容されて、雄ハウジングの嵌合凹部の開口面がケースに形成された嵌合用開口の裏側に控えて配されている。一方、ハーネス側コネクタは、電線の端末に接続された雌端子を雌ハウジング内に収容した構造であって、このハーネス側コネクタは、対応する雌雄の端子金具同士を接続するべくケースの嵌合用開口を通して機器側コネクタに嵌合され、雌ハウジングを覆って装着されたシールドシェルがボルト締めによりケースに固定されるようになっている。
【０００３】
この種のコネクタ装置では、メンテナンス等においてハーネス側コネクタを外した場合には、機器側コネクタの雄端子が、ケースの嵌合用開口を通してではあるが外部に露出した状態となり、一方機器側コネクタでは動力用の電気回路が構成されているために、作業者が不用意に雄端子に触れると電撃を受ける等が懸念される。そのため両コネクタの間には、両コネクタの嵌合・離脱状態を検知する嵌合検知機構が備えられ、嵌合・離脱の検知状態に応じて動力用の電気回路の導通と遮断とを行うインターロック機能が具備されている。この種のインターロック機能が具備されたコネクタ装置は、例えば特許文献１に記載されている。
【０００４】
従来、この種のインターロック機能を構築する嵌合検知機構としては、機器側コネクタに嵌合検知用端子である一対のタブが並設される一方、ハーネス側コネクタにはショートハーネスが設けられた構造である。ショートハーネスは、ヘアピン状に回曲した電線の両端に雌端子を接続して並べた形状である。そして、両コネクタが嵌合されると、ショートハーネスの両雌端子に対して嵌合検知用端子であるタブが嵌合されることで、動力用の電気回路が導通状態となり、両コネクタが離脱状態となると、嵌合検知用端子であるタブがショートハーネスの対応する雌端子から外れることで上記電気回路が遮断されるようになっている。
【先行技術文献】
【特許文献】
【０００５】
【特許文献１】特許第３８２０３５５号公報
【発明の概要】
【発明が解決しようとする課題】
【０００６】
ところで、機器用コネクタを設けたＪ／Ｂは、ケース内にボルト止め等で取り付けられて収容されるが、取り付けに係る公差により、ケースの嵌合用開口と雄コネクタにおける嵌合凹部の開口面との間の寸法にばらつきができ、言い換えると、ハーネス側コネクタの雌ハウジングが、機器側コネクタの雄ハウジングの嵌合凹部内へ嵌合される深さにばらつきが出る。両コネクタに設けられた電力用の雌雄の端子金具は比較的大型であるため、公差内で嵌合深さがばらついたとしても接続状態は担保される。
【０００７】
それに対して、嵌合検知側の端子金具は小型であるため、嵌合深さが公差内で浅いときには、嵌合検知用端子であるタブが相手の雌端子と正規に接続できず、結果動力用の電気回路が遮断状態に留め置かれる事態を招く。それを回避するために、嵌合検知用端子であるタブを長く設定すると、嵌合深さが公差内で逆に深くなった場合に、タブの先端が雌端子における接続部を突っ切って、同接続部の後方に配されたワイヤバレルに圧着された芯線の出代部にぶつかる事態を招き、簡単には対応できない。  
本発明は上記のような事情に基づいて完成されたものであって、その目的は、機器用コネクタの取付公差によらずコネクタの嵌合検知を確実に行えるようにするところにある。
【課題を解決するための手段】
【０００８】
本発明は、嵌合用開口が形成された機器のケースと、一の接続端子を備え前記ケース内において前記嵌合用開口に臨んで配置される機器側コネクタと、前記一の接続端子と接続される他の接続端子を備えワイヤハーネスの端末に接続されたハーネス側コネクタと、が設けられ、前記ハーネス側コネクタが前記ケースの前記嵌合用開口を通して前記機器側コネクタと嵌合され、かつ同ハーネス側コネクタに設けられた取付部が前記ケースに固定されるようになっているとともに、前記両コネクタの間には当該両コネクタの嵌合状態を検知する嵌合検知機構が備えられたコネクタ装置において、前記嵌合検知機構は、前記機器側コネクタに嵌合検知用の一対の雄端子が設けられる一方、前記ハーネス側コネクタには、一対のピンの基端同士を連結部で連結したショートピンと、当該ショートピンの前記ピンと前記雄端子とがそれぞれ接続される接続部を長さ方向の両端部に間隔を開けて形成してなる一対の中継端子とが設けられることによって形成されているところに特徴を有する。
【０００９】
ハーネス側コネクタには、ショートピンの各ピンが一対の中継端子の一端側の接続部に接続された状態で設けられる。ハーネス側コネクタは、ケースの嵌合用開口を通して機器側コネクタに嵌合されたのち、取付部がケースに固定される。それに伴い、両コネクタの対応する接続端子同士が接続されるとともに、機器側コネクタの嵌合検知用の両雄端子が、一対の中継端子の他端側の接続部に接続されることで両雄端子間が導通され、結果両コネクタが嵌合されたことが検知される。
【００１０】
ここで、機器側コネクタの取付公差によって、ケースの嵌合用開口と機器側コネクタの嵌合面との間の寸法にばらつきができ、言い換えると、ハーネス側コネクタの機器側コネクタに対する嵌合深さにばらつきができたとしても、機器側コネクタの両雄端子の先端が、中継端子の両接続部間の隙間への突出長さを変えてばらつきを吸収しつつ中継端子との接続状態が担保される。  
ハーネス側コネクタの嵌合検知部をショートピンと中継端子によって構成したから、機器側コネクタの取付公差を中継端子の隙間によって吸収でき、嵌合検知を確実に行うことができる。ショートピン、中継端子共に既存品が適用でき、従来のショートハーネスと比べて安価に対応できる。
【００１１】
また、以下のような構成としてもよい。  
（１）前記ハーネス側コネクタの嵌合端面には、前面に開口した装着孔が形成され、この装着孔の奥面には、前記ショートピンの前記連結部が圧入される圧入溝が形成されているとともに、前記一対の中継端子を後方から個別に挿入可能な収容室を備え、かつ両収容室の前面に嵌合検知用の前記雄端子が挿入される端子挿入口が開口されたカバーが前記装着孔内に前方から挿入可能に設けられ、前記カバーと前記装着孔との間に前記カバーを抜け止めする抜け止め部が設けられている。
【００１２】
ハーネス側コネクタの嵌合検知部は、ショートピンを装着孔の圧入溝に圧入して固定したのち、両中継端子を挿入して各奥端側の接続部をショートピンの対応するピンに接続し、そののち各収容室に中継端子が個別に収容されるようにカバーが挿入され、抜け止め部により抜け止め状態に固定されることで形成される。  
ハーネス側コネクタの嵌合検知部は、ショートピン、中継端子及びカバーを装着孔の前方から順次に挿入することで組み付けられ、組付作業を能率良く行うことができる。
【００１３】
（２）前記機器側コネクタの嵌合端面には、前記一対の雄端子が回りを壁部で囲まれた形態で突設されている一方、前記ハーネス側コネクタの前記装着孔には、前記カバーが同装着孔の内面との間に前記壁部が挿入可能なクリアランスを持って装着されるようになっており、かつ前記カバーにおける奥端側の外面には、同カバーの径方向の位置ずれを規制するリブが形成されている。  
カバーを径方向の位置ずれを規制した状態で装着孔内に挿入することができるから、先に装着されている中継端子を収容室にスムーズに収容しつつカバーを挿入することができ、すなわちカバーの挿入作業を能率良く行うことができる。
【００１４】
（３）前記機器側コネクタには動力用の電気回路が構成されており、前記一対の嵌合検知用の雄端子同士が接続状態である場合に前記電気回路が導通される一方、前記雄端子同士が非接続状態である場合に前記電気回路が遮断されるようになっている。嵌合検知機構を動力用の電気回路の遮断装置として有効に適用することができる。
【００１５】
（４）前記機器のケースが金属製である一方、前記ハーネス側コネクタには前記他の接続端子の回りを覆うようにしてシールドシェルが装着され、このシールドシェルから張り出し形成された取付板が、前記ケースの外面に締結金具により固定されている。  シールド機能を備えたコネクタ装置に有効に適用することができる。
【発明の効果】
【００１６】
本発明によれば、機器用コネクタの取付公差によらずコネクタの嵌合検知を確実に行うことができる。
【図面の簡単な説明】
【００１７】
【図１】本発明の一実施形態に係る機器側コネクタにハーネス側コネクタを嵌合する前の状態を示す断面図
【図２】機器側コネクタの平面図
【図３】ハーネス側コネクタの斜視図
【図４】雌ハウジングの側面図
【図５】同平面図
【図６】同正面図
【図７】同背面図
【図８】シールドシェルの装着前のハーネス側コネクタの正面図
【図９】ハーネス側コネクタにおける嵌合検知部の分解斜視図
【図１０】嵌合検知部の組付動作を示す底面から見た分解断面図
【図１１】その側面から見た分解断面図
【図１２】中継端子の側面図
【図１３】同底面図
【図１４】同側面図
【図１５】同側断面図
【図１６】カバーの側面図
【図１７】同正面図
【図１８】同背面図
【図１９】ハーネス側コネクタの背面から見た斜視図
【図２０】機器側コネクタとハーネス側コネクタとが正規嵌合された状態の断面図
【図２１】その平面図
【図２２】その一部切欠斜視図
【図２３】機器側コネクタが公差のほぼ中心で取り付けられた場合における嵌合検知機構部分の断面図
【図２４】公差の上限側で取り付けられた場合における同断面図
【図２５】公差の下限側で取り付けられた場合における同断面図
【発明を実施するための形態】
【００１８】
＜実施形態＞
本発明の一実施形態を図１ないし図２５に基づいて説明する。  
本実施形態は、バッテリと車載機器とを結ぶ電気系統に介設されるコネクタ装置を例示しており、図１に示すように、ケース１０内に装備される機器側コネクタ２０と、ワイヤハーネスの端末に接続されて上記機器側コネクタ２０と嵌合されるハーネス側コネクタ３０とから構成されている。
【００１９】
機器側コネクタ２０は、ジャンクションボックス２２（以下、Ｊ／Ｂ２２）の外面に嵌合凹部２３が形成されることで雄ハウジング２１が一体的に形成されている。この嵌合凹部２３は、図２に示すように、左右方向に長い長方形断面をなし、同嵌合凹部２３内は、左右方向に３つの領域に分けられ、中央部と同図の左端の領域では、それぞれ奥面（底面）から幅広のバスバー２５（本発明の一の接続端子に相当）が突設されている。両バスバー２５は板面を揃えて左右に並んだ姿勢で配設され、嵌合凹部２３の深さの７割程度の高さ寸法突出している。両バスバー２５の間には背の低い仕切壁２６が立てられている。
【００２０】
嵌合凹部２３内の図２における右端の領域には、機器側コネクタ２０の嵌合検知部２７が構成されている。より詳細には、同領域の奥面の中央部から、一対の嵌合検知用の雄タブ２８（本発明の雄端子に相当）が左右に所定間隔を開けて並んで突設されている。両雄タブ２８は、嵌合凹部２３の深さの３割強の高さ寸法突出している。また、両雄タブ２８の左右両側並びに後側（図２の上側）の三方を囲むようにして、平面門形をなす突壁２９が立てられている。同突壁２９は雄タブ２８よりも少し背が高く形成されている。
【００２１】
機器側コネクタ２０には、図示はしないが動力用の電気回路が構成されており、上記した一対の嵌合検知用の雄タブ２８同士が電気的に接続された状態にあると、電気回路が導通状態とされる一方、雄タブ２８同士が非接続状態である場合には電気回路が遮断されるようになっている。
【００２２】
上記のように機器側コネクタ２０が設けられたＪ／Ｂ２２が、シールド機能を備えたアルミニウム等の金属製のケース１０内に収容され、図示しないボルトで止められて固定されている。より詳細には、図１に示すように、ケース１０の上面の所定位置には、上記した機器側コネクタ２０の嵌合凹部２３の開口よりも一回り大きい長方形の嵌合用開口１１が形成されている。そしてＪ／Ｂ２２は、機器側コネクタ２０の嵌合凹部２３が嵌合用開口１１と同心に整合し、かつ、嵌合凹部２３の開口面が嵌合用開口１１の下方（裏側）に所定寸法控えた位置において、上記のようにボルト止めによって固定されている。
【００２３】
次に、ハーネス側コネクタ３０について説明する。ハーネス側コネクタ３０は大まかには、図３にも示すように、被覆電線ｗの端末に固着された雌端子３１（本発明の他の接続端子に相当）が収容される雌ハウジング３５と、この雌ハウジング３５の後端部に外嵌されるシールドシェル８０とから構成されている。  
雌端子３１は、導電性に優れた金属板をプレス加工して形成され、図２２に示すように、上記した機器側コネクタ２０に設けられたバスバー２５が嵌合接続される扁平な角筒形の接続部３２を有しており、同接続部３２の後方に設けられたバレル３３が、被覆電線ｗにおける皮剥きされて露出した芯線ｗａの端末にかしめられることで、被覆電線ｗの端末に固着されている。
【００２４】
雌ハウジング３５は合成樹脂製であって、図４ないし図７に示すように、上記した雄ハウジング２１の嵌合凹部２３内に緊密に嵌合可能な扁平なブロック状に形成されている。雌ハウジング３５は左右方向に３つの領域に分けられ、中央部と正面から視た左端の領域では、それぞれ上記した雌端子３１を後方から挿入可能なキャビティ３６が形成されている。各キャビティ３６の前壁３７には、相手のバスバー２５が挿入可能な端子挿入口３８が開口されているとともに、キャビティ３６の天井面には、雌端子３１の接続部３２に形成されたランス孔３２Ａに弾性的に係止するランス３６Ａ（図６参照）が形成されている。  
なお、雌ハウジング３５の前面における両キャビティ３６の間の位置には、相手の雄ハウジング２１の嵌合凹部２３の奥面に立てられた仕切壁２６が挿入されるガイド溝３９が形成されている。  
各雌端子３１は、対応するキャビティ３６内にランスを撓み変位させつつ後方から挿入され、前壁３７に当たる正規位置まで挿入されると、ランス３６Ａが復元変位してランス孔３２Ａに嵌ることによって、雌端子３１はキャビティ３６内に抜け止めされて収容されるようになっている。
【００２５】
雌ハウジング３５における正面視で右端の領域には、ハーネス側コネクタ３０の嵌合検知部４０が構成されている。より詳細には、雌ハウジング３５の前面における同領域には、方形断面をなす装着孔４１が同雌ハウジング３５の全長の１／４程度の深さを持って穿設されている。装着孔４１内には、相手の雄ハウジング２１側の嵌合検知部２７に設けられた突壁２９が緊密に嵌合可能となっている。なお、装着孔４１の奥壁の裏側には、後面に開口した肉抜き孔４２が形成されている。
【００２６】
装着孔４１内には、図９ないし図１１に示すように、ショートピン５０と、一対の中継端子５５と、これらの中継端子５５を収容するカバー６０とが挿入されて、嵌合検知部４０が形成されるようになっている。  
ショートピン５０は導電性に優れた金属板をプレス加工して形成され、方形状をなす連結板５１の前縁から一対のピン５２が所定間隔を開けて並んで突設された形状である。両ピン５２の間隔は、雄ハウジング２１の嵌合検知部２７における両雄タブ２８の間隔に等しく、またピン５２の長さは、上記雄タブ２８の突出長さの半分程度である。連結板５１の両側縁には食込突起５３が形成されている。
【００２７】
一方、装着孔４１の奥面の中央部には、同装着孔４１の内径よりも一回り小さい外径寸法を持った角形をなす装着筒部４４が突設されている。この装着筒部４４の突出長さは、装着孔４１の深さの１／３程度となっている。なお、装着筒部４４の正面視右側面の中央高さ位置には、奥から約２／３の長さ領域に亘って、カバー６０の誤挿入防止用のリブ４５が立てられている。
【００２８】
装着筒部４４の左右の内壁には、ショートピン５０の連結板５１における左右の側縁が圧入される圧入溝４６が形成されている。図１に示すように、圧入溝４６の奥行は、連結板５１の長さ寸法よりも少し大きく形成されている。したがってショートピン５０の連結板５１は、両側縁の食込突起５３を圧入溝４６の底壁に食い込ませつつ押し込まれ、奥面に当たったところで停止されて抜け止め状態で圧入される。このとき、ショートピン５０の両ピン５２は、先端側の８割程度の長さ部分が、装着筒部４４の前面から突出した状態となる。
【００２９】
両中継端子５５は、同じく導電性に優れた金属板をプレス加工することにより同一の形状に形成されている。中継端子５５は、図１２ないし図１５にも示すように、細長い基板５６の両端部の下面に角筒形をなす接続部５７が形成され、全体として、装着孔４１における装着筒部４４の前面までの深さに匹敵した長さ寸法を有している。両接続部５７の天井側には、端縁から内方に山形に曲げ形成された弾性接触片５７Ａが配されているとともに、接続部５７自体は、図２３に示すように、正規に圧入されたショートピン５０における両ピン５２の装着筒部４４からの突出長さよりも少し大きい長さ寸法を有している。そして、両端の接続部５７の対向した端縁の間には、接続部５７の長さの半分強の隙間５８が空けられている。  
各接続部５７の側面の上縁（点対称位置）にはスタビライザ５９が形成されている。
【００３０】
カバー６０は合成樹脂製であって、図１６ないし図１８にも示すように、やや横長断面の角筒形をなすカバー本体６１を備えており、その後部側には、上記した装着筒部４４の外周に緊密に嵌合される角形をなす取付筒部７０が連設されている。カバー本体６１の外形は、装着孔４１よりも一回り小さく形成され、カバー本体６１の外周面と装着孔４１の内周面との間に、機器側コネクタ２０の嵌合検知部２７において雄タブ２８の回りに立てられた突壁２９が緊密に嵌合可能な方形環状のクリアランス６２が確保されるようになっている（図２０参照）。カバー６０全体は、装着孔４１の深さにほぼ等しい長さを有している。  
カバー本体６１内には、間に仕切壁６３が形成されることにより、中継端子５５を全長に亘って後方からほぼ緊密に挿入可能とした収容室６４が形成されている。各収容室６４の前面壁６４Ａには、雄ハウジング２１側の嵌合検知部２７に設けられた雄タブ２８が挿入されるタブ挿入口６５が開口されている。各収容室６４の天井面の左右両側縁には、中継端子５５のスタビライザ５９を挿通案内するガイド溝６６が形成されている。
【００３１】
取付筒部７０の外形は、その左右両面が装着孔４１の左右の内壁間に緊密に嵌り、上下両面は、装着孔４１の上下の内壁との間にクリアランスを有する形状である。ただし、上下の外面の左右両端にはそれぞれリブ７１が立てられ、上下で対をなすリブ７１が、装着孔４１の上下の内壁間に緊密に嵌るようになっている。  
また、取付筒部７０における正面視右側の側壁には、上記した装着孔４１の右側面に形成されたリブ４５を挿入して逃がす逃がし溝７２が、奥縁から手前側に切り込み形成されている。
【００３２】
カバー６０の取付筒部７０と装着孔４１内の装着筒部４４との間には、ロック機構が備えられている。詳細には、図１１に示すように、装着筒部４４の上下両面には、先端寄りでかつ幅方向の中央部にロック突部４７が形成されているとともに、取付筒部７０の上下両面には、同取付筒部７０が正規位置まで押し込まれた際にロック突部４７が嵌るロック溝７３が形成されている。
【００３３】
雌ハウジング３５の後端部には、シールドシェル８０が装着されるようになっている。シールドシェル８０は、アルミニウム等の金属板を深絞り等のプレス加工をすることによって形成されており、雌ハウジング３５の後端部に嵌装可能な長円形の筒形に形成されている。シールドシェル８０の前縁には、取付板となるフランジ８１が張り出し形成され、同フランジ８１の上縁が山形をなすように延ばされて、同延出部８２に、ボルト１４の挿通孔８３が開口されている。
【００３４】
シールドシェル８０は、雌ハウジング３５の後端部に対して後方から嵌装されるようになっており、そのため雌ハウジング３５の後端部の外面には、嵌装の案内用のガイドリブ７５が形成されている。このガイドリブ７５は、雌ハウジング３５の上下の面において、それぞれ幅方向の中央部で間隔を開けて２本ずつ、また左右の面において幅方向の中央部に１本ずつの合計６本が形成されている。
【００３５】
各ガイドリブ７５は、雌ハウジング３５の後縁から全長の１／３程度手前に進出した位置まで延びて形成され、その前端部にはテーパ部を介して突出高さが大きい高位部７５Ａが形成されている。  
各ガイドリブ７５の前端には、雌ハウジング３５の外面から直角に外方に突出したストッパ７６が形成されている。  
雌ハウジング３５の上下の面におけるガイドリブ７５の間の位置には、ロック片７８が後方を向いた片持ち状に形成され、同ロック片７８の先端には、シールドシェル８０の後縁に係止する係止突起７９が形成されている。
【００３６】
シールドシェル８０は、雌ハウジング３５の後方からガイドリブ７５に沿うようにして、かつロック片７８を弾性撓みさせつつ嵌装され、嵌装動作の終盤になると、シールドシェル８０の前縁がガイドリブ７５の高位部７５Ａに緊密に外嵌しつつ押し込まれる。シールドシェル８０の前縁がストッパ７６に当たったところで押し込みが停止され、そのときロック片７８が復動変位して係止突起７９がシールドシェル８０の後縁に係止することにより、図１９に示すように、シールドシェル８０が雌ハウジング３５の後端部の外周において、がたつきなくかつ抜け止めされて装着された状態となる。  
このように雌ハウジング３５に装着されたシールドシェル８０は、ケース１０の嵌合用開口１１の表面側の口縁に当てられて固定されるが、そのため嵌合用開口１１は、少なくとも、全６個のストッパ７６を内側に嵌めることができる大きさに形成されている。
【００３７】
続いて、本実施形態の作用を説明する。  
ハーネス側コネクタ３０において、嵌合検知部４０が組み付けられる。それには、図１０及び図１１に示す状態から、まずショートピン５０が装着孔４１内の奥に設けられた装着筒部４４の圧入溝４６に圧入されて固定され、このときショートピン５０の両ピン５２は、図２３に示すように、先端側の８割程度の長さ部分が装着筒部４４の前面から突出する。  
次に、左右一対の中継端子５５が、基板５６を上側に配した姿勢を採った上で、奥側の接続部５７が対応するピン５２に向けて押し込まれる。各中継端子５５は、それぞれの奥端が装着筒部４４の前面に当たったところで押し込みが停止され、そのときピン５２の先端は、弾性接触片５７Ａを弾性撓みさせつつ対向した底面との間に割って入り、弾性接触片５７Ａの頂点を超えた位置まで達している。
【００３８】
続いて、カバー６０が、図１７に示すように、正面から視た場合に、取付筒部７０の外面に設けられた４本のリブ７１が縦方向を向いて「Ｈ」形をなし、かつ、カバー本体６１の前面に開口された２個のタブ挿入口６５が、同カバー本体６１の前面の下側領域に来た回動姿勢において、取付筒部７０側から装着孔４１内に挿入される。４本のリブ７１も含めて取付筒部７０の外形が装着孔４１の内周面に緊密に嵌ることから、カバー６０はがたつくことなく、装着孔４１の軸線に沿った真直姿勢で押し込まれる。
【００３９】
カバー６０の押し込みが進むと、各中継端子５５が後方側から取付筒部７０内に入り、続いてカバー本体６１の対応する収容室６４内に進入し、スタビライザ５９がガイド溝６６に嵌って案内されつつ、前方に向けて相対的に進出する。押し込みの終盤になると、取付筒部７０が装着筒部４４に外嵌され、逃がし溝７２にリブ４５が嵌って逃がされつつ押し込まれる。上記のカバー６０が挿入される際、上下反転した誤った姿勢で挿入されると、中継端子５５のスタビライザ５９が収容室６４の入口の口縁に当たって押し込みが規制され、仮に押し込みが継続されたとしても、取付筒部７０における逃がし溝７２が形成されていない側の側壁の後縁が、リブ４５に当たってそれ以上の押し込みが規制されることで、カバー６０が誤姿勢で挿入されたことが検知される。そうしたら、カバー６０を上下反転させて正規姿勢に修正したのち、装着孔４１内に再度挿入すればよい。
【００４０】
各中継端子５５における前側の接続部５７の前面が、対応する収容室６４の前面壁６４Ａに当たるまで押し込まれたところで、カバー６０の押し込みが停止され、そのとき、図２３に示すように、取付筒部４４のロック溝７３の後縁に装着筒部４４のロック突部４７が嵌ることで、カバー６０が抜け止めされて装着される。  
このとき、各中継端子５５は、カバー本体６１の収容室６４内に全長がすっぽりと収まった状態となる。カバー本体６１の前面は、装着孔４１の前面開口とほぼ面一に位置し、各収容室６４の前面壁６４Ａのタブ挿入口６５の直後に、中継端子５５の前側の接続部５７が位置する。後側の接続部５７には、上記したように、ショートピン５０の対応するピン５２が所定量挿入されて、正規接続された状態にある。また、カバー本体６１の外周面と装着孔４１の内周面との間には、機器側の嵌合検知部４０において雄タブ２８の回りに立てられた突壁２９が嵌合可能なクリアランス６２が形成される。
【００４１】
次に、雌ハウジング３５の後端側にシールドシェル８０が上記した要領で緊密に嵌装され、ロック片７８で抜け止めされて装着される。それとともに、雌ハウジング３５のキャビティ３６に、被覆電線ｗの端末に接続された雌端子３１が挿入されて、抜け止めされて収容される。また、両被覆電線ｗには編組線からなるシールド筒体（図示せず）が嵌装され、シールドシェル８０と接続される。
【００４２】
このように組み付けられたハーネス側コネクタ３０の雌ハウジング３５が、図１の矢線Ｘに示すように、ケース１０の嵌合用開口１１を通して、機器側コネクタ２０の雄ハウジング２１を構成する嵌合凹部２３内に嵌合される。  
図２０に示すように、ハーネス側コネクタ３０に装着されたシールドシェル８０のフランジ８１が、嵌合用開口１１の表面側の口縁部に当たったところで押し込みが停止され、すなわち正規に嵌合された状態となる。この間に、図２１に示すように、ケース１０の嵌合用開口１１の口縁部に突設されたボルト１４が、シールドシェル８０のフランジ８１の延出部８２に形成された挿通孔８３に挿通されるから、同ボルト１４にナット（図示せず）を螺合して締め付けることで、フランジ８１がケース１０に当てられた形態で固定される。  
これにより、両コネクタ２０，３０の対応したバスバー２５と雌端子３１同士が正規に接続され、また、被覆電線ｗからバスバー２５と雌端子３１との嵌合部分に亘ってシールドされた状態となる。
【００４３】
一方、上記した両コネクタ２０，３０の嵌合動作に伴い、ハーネス側コネクタ３０の嵌合検知部４０のカバー６０が、機器側コネクタ２０の嵌合検知部２７に設けられた突壁２９の内側に嵌合されつつ、一対の雄タブ２８がカバー６０の前面に向けて進出し、収容室６４の前面壁６４Ａのタブ挿入口６５を通して同収容室６４に収容された中継端子５５の前側の接続部５７内に進入する。雄タブ２８の先端は、弾性接触片５７Ａを弾性撓みさせつつ対向した底面との間に割って入り、両ハウジング２１，３５が正規嵌合されたところでは、図２０及び図２３に示すように、雄タブ２８の先端は弾性接触片５７Ａの頂点を超えて前後の接続部５７の間の隙間５８の入口付近まで達した状態となって、雄タブ２８と対応する中継端子５５の前側の接続部５７とが電気的に接続される。  
これにより機器側コネクタ２０の嵌合検知用の一対の雄タブ２８が、両中継端子５５とショートピン５０とを介して接続され、機器側コネクタ２０に設けられた動力用の電気回路が導通状態とされ、結果、両コネクタ２０，３０が正規嵌合されたことが検知される。
【００４４】
ところで、機器側コネクタ２０を設けたＪ／Ｂ２２は、上記したように、ケース１０内にボルト止め等で取り付けられて収容されるが、取り付けに係る公差により、ケース１０の嵌合用開口１１と雄ハウジング２１における嵌合凹部２３の開口面との間の寸法にばらつきができ、言い換えると、ハーネス側コネクタ３０の雌ハウジング３５が、機器側コネクタ２０の雄ハウジング２１の嵌合凹部２３内へ嵌合される深さにばらつきが出る可能性がある。そのため、両コネクタ２０，３０の間に構築される嵌合検知機構の構造によっては、正規に検知できないおそれがある。
【００４５】
それに対して本実施形態では、ハーネス側コネクタ３０の嵌合検知部４０がショートピン５０に中継端子５５を接続して形成されている。  
そのため、取付公差内において、図１の矢線Ａに示すように、雄ハウジング２１の嵌合凹部２３の開口面がケース１０の嵌合用開口１１から大きく離間して配された場合、言い換えると雌ハウジング３５の嵌合深さが浅く留められる場合は、図２４に示すように、雄タブ２８のカバー６０内への進入寸法が小さくなるものの、雄タブ２８の先端は、中継端子５５の前側の接続部５７における弾性接触片５７Ａの頂点を超えた位置までは達し、当該接続部５７との電気的な接続は担保される。
【００４６】
一方、取付公差内において、図１の矢線Ｂに示すように、雄ハウジング２１の嵌合凹部２３の開口面がケース１０の嵌合用開口１１に接近して配された場合、言い換えると雌ハウジング３５の嵌合深さが深くなる場合は、図２５に示すように、雄タブ２８のカバー６０内への進入寸法が大きくなり、雄タブ２８の先端は、中継端子５５の前側の接続部５７を突っ切って進入するものの、後側の接続部５７との間の隙間５８内に留まる。すなわち、雄タブ２８の先端が後側の接続部５７等の余分箇所に干渉することなく、前側の接続部５７との電気的な接続は担保される。  
結果、Ｊ／Ｂ２２すなわち機器側コネクタ２０の公差内での取付誤差によらず、正確に嵌合検知を行うことができる。
【００４７】
以上のように本実施形態によれば、ハーネス側コネクタ３０の嵌合検知部４０をショートピン５０と中継端子５５によって構成したから、機器側コネクタ２０のケース１０内での取付公差を中継端子５５の隙間５８によって吸収でき、嵌合検知を確実に行うことができる。ショートピン５０、中継端子５５共に既存品が適用でき、従来のショートハーネスと比べて安価に対応できる。
【００４８】
ハーネス側コネクタ３０の嵌合検知部４０は、ショートピン５０、中継端子５５及びカバー６０を装着孔４１の前方から順次に挿入することで組み付けることができるから、組付作業を能率良く行うことができる。  
カバー６０が装着孔４１内に装着された場合、カバー本体６１の外周面は装着孔４１の内面との間に、機器側コネクタ２０の嵌合検知部４０に設けられた突壁２９が嵌合可能なクリアランス６２を持って装着されるようになっているが、カバー６０の後端側には、カバー本体６１よりも径の大きい取付筒部７０が形成され、かつその外周面にリブ７１が立てられることで、リブ７１も含めて取付筒部７０の外形が装着孔４１の内周面に緊密に嵌る形状に形成されているから、カバー６０を径方向の位置ずれを規制した状態で装着孔４１内に挿入することができ、そのため先に装着されている中継端子５５を収容室６４にスムーズに収容しつつカバー６０を挿入することができ、すなわちカバー６０の挿入作業を能率良く行うことができる。
【００４９】
＜他の実施形態＞
本発明は上記記述及び図面によって説明した実施形態に限定されるものではなく、例えば次のような実施形態も本発明の技術的範囲に含まれる。  
（１）ハーネス側コネクタの嵌合検知部の組付手順として、上記実施形態に例示した以外に、例えば、カバー内に先に中継端子を収容し、同カバーを圧入装着されているショートピンに向けて差し込むようにしてもよい。  
（２）上記実施形態では、機器用コネクタの雄ハウジングの形状として、Ｊ／Ｂの外面に単に嵌合凹部を穿設したものを例示したが、Ｊ／Ｂの外面にフード部を形成して同フード部の内側に嵌合凹部を設けた構造であってもよく、そのようなものにも本発明は同様に適用することができる。
【００５０】
（３）シールドシェルの形状や、ケースに対する固定箇所の数等は、上記実施形態に例示したものに限らず、適宜に選定できる。  
（４）本発明は上記実施形態に例示した機器用のシールドコネクタ装置に限らず、例えばパネルの裏側で待ち受けたコネクタに対し、同パネルに形成した嵌合用開口を通して相手のコネクタを嵌合するようにしたコネクタ装置についても、同様に適用可能である。  
（５）本発明は、防水型のコネクタ装置にも同様に適用することができる。
【符号の説明】
【００５１】
ｗ…被覆電線
１０…ケース
１１…嵌合用開口
１４…ボルト（締結金具）
２０…機器側コネクタ
２１…雄ハウジング
２２…Ｊ／Ｂ
２３…嵌合凹部
２５…バスバー（一の接続端子）
２７…嵌合検知部（嵌合検知機構）
２８…雄タブ（嵌合検知用の雄端子）
２９…突壁（壁部）
３０…ハーネス側コネクタ
３１…雌端子（他の接続端子）
３５…雌ハウジング
４０…嵌合検知部
４１…装着孔
４４…装着筒部
４６…圧入溝
４７…ロック突部（抜け止め部）
５０…ショートピン
５１…連結板（連結部）
５２…ピン
５５…中継端子
５６…基板
５７…接続部
５７Ａ…弾性接触片
５８…隙間
６０…カバー
６１…カバー本体
６２…クリアランス
６４…収容室
６５…タブ挿入口（端子挿入口）
７０…取付筒部
７１…リブ
７３…ロック溝（抜け止め部）
８０…シールドシェル
８１…フランジ（取付板／取付部）
【図１】
0005534350.tif 000002
【図２】
0005534350.tif 000003
【図３】
0005534350.tif 000004
【図４】
0005534350.tif 000005
【図５】
0005534350.tif 000006
【図６】
0005534350.tif 000007
【図７】
0005534350.tif 000008
【図８】
0005534350.tif 000009
【図９】
0005534350.tif 000010
【図１０】
0005534350.tif 000011
【図１１】
0005534350.tif 000012
【図１２】
0005534350.tif 000013
【図１３】
0005534350.tif 000014
【図１４】
0005534350.tif 000015
【図１５】
0005534350.tif 000016
【図１６】
0005534350.tif 000017
【図１７】
0005534350.tif 000018
【図１８】
0005534350.tif 000019
【図１９】
0005534350.tif 000020
【図２０】
0005534350.tif 000021
【図２１】
0005534350.tif 000022
【図２２】
0005534350.tif 000023
【図２３】
0005534350.tif 000024
【図２４】
0005534350.tif 000025
【図２５】
0005534350.tif 000026